(57)【要約】【課題】コネクターとジョイントとを接続する場合に、内部を流通する液体の漏れを防止するとともに、コネクターがジョイントから離脱しないようにする。【解決手段】コネクター１０よりも柔軟な材料でジョイント２０を構成する。ジョイント２０に、コネクター１０の大径部１２の内周部に密着する内側被覆部２０ｂと、大径部１２の外周部に密着する外側被覆部２０ｃとを設ける。ジョイント２０の内側被覆部２０ｂと外側被覆部２０ｃとの間にコネクター１０を挿入して、コネクター１０とジョイント２０とを接続する。【選択図】図３
2008017987.tif 000002
【特許請求の範囲】
【請求項１】
第１部材が有する第１管部と第２部材が有する第２管部とを接続する管部の接続構造において、
上記第１管部は、上記第２管部を構成する材料よりも柔軟な材料で構成され、
上記第１管部には、上記第２管部の内周部に密着するように形成された管状の内側被覆部と、上記第２管部の外周部に密着するように形成された管状の外側被覆部とが設けられ、
上記内側被覆部と上記外側被覆部との間に上記第２管部が挿入された状態で上記第１管部と上記第２管部とが接続されていることを特徴とする管部の接続構造。
【請求項２】
請求項１に記載の管部の接続構造において、
第２管部の外周部は、該第２管部の接続側の端部に近づくほど拡径するテーパー形状とされていることを特徴とする管部の接続構造。
【請求項３】
請求項１または２に記載の管部の接続構造において、
第２管部の外周部には、突起が設けられていることを特徴とする管部の接続構造。
【請求項４】
請求項１から３のいずれか１つに記載の管部の接続構造において、
第１管部には、該第１管部の外周部に開口する孔部が内側被覆部と外側被覆部との間に形成された隙間に連通するように形成されていることを特徴とする管部の接続構造。
【請求項５】
請求項１から４のいずれか１つに記載の管部の接続構造において、
第２管部の外周部には、接続側の端部から反対側の端部へ向けて延びる溝が形成されていることを特徴とする管部の接続構造。
【請求項６】
請求項１から５のいずれか１つに記載の管部の接続構造において、
内側被覆部及び外側被覆部は一体成形されていることを特徴とする管部の接続構造。
【請求項７】
第１部材が有する第１管部と第２部材が有する第２管部とを接続する管部の接続構造において、
上記第１管部は、上記第２管部を構成する材料よりも柔軟な材料で構成され、
上記第１管部は、上記第２管部の内周部に密着するように形成され、
上記第１管部を上記第２管部に挿入した状態で、該第１及び第２管部の両外周部は、上記第２管部を構成する材料よりも柔軟な材料を管状に成形してなる被覆部によって覆われていることを特徴とする管部の接続構造。
【請求項８】
第１部材が有する第１管部と第２部材が有する第２管部とを接続する管部の接続構造において、
上記第１管部は、上記第２管部を構成する材料よりも柔軟な材料で構成され、
上記第１管部は、上記第２管部の外周部に密着するように形成され、
上記第２管部を上記第１管部に挿入した状態で、該第１及び第２管部の両内周部は、上記第２管部を構成する材料よりも柔軟な材料を管状に成形してなる被覆部によって覆われていることを特徴とする管部の接続構造。
【請求項９】
第１部材が有する第１管部と第２部材が有する第２管部とを接続する管部の接続構造において、
上記第１及び第２管部を接続側の端部が向かい合うように配置した状態で、上記第１及び第２管部の両外周部は、上記第２管部を構成する材料よりも柔軟な材料で構成された管状の外側被覆部によって覆われ、上記第１及び第２管部の両内周部は、上記第２管部を構成する材料よりも柔軟な材料で構成された管状の内側被覆部によって覆われていることを特徴とする管部の接続構造。
【請求項１０】
請求項１から９のいずれか１つに記載された管部の接続構造により接続された第１部材及び第２部材を備えていることを特徴とする輸液セット。
【発明の詳細な説明】
【技術分野】
【０００１】
本発明は、例えば、医療現場で用いられるチューブやコネクター、ジョイント等を接続する際に用いられる管部の接続構造及び輸液セットに関する。
【背景技術】
【０００２】
従来より、例えば、特許文献１に開示されているように、輸液セットや輸血セットにはドリップチャンバーが設けられており、このドリップチャンバーの流出口には、柔軟なチューブが接続されるようになっている。上記ドリップチャンバーは、一般には、容易に変形しないように硬質な樹脂材等で構成されており、流出口を構成する部分は、内管と、この内管との間に隙間を有するように形成された外管とからなる二重管構造となっている。そして、チューブの端部を内管と外管との隙間に挿入することでチューブがドリップチャンバーの流出口に接続された状態となる。
【特許文献１】特開２０００−１１６７９６号公報
【発明の開示】
【発明が解決しようとする課題】
【０００３】
ところが、特許文献１のようにして内管と外管との間にチューブを挿入して接続した場合、内部の液体の圧力が高まった場合には、チューブは柔軟性を持っているため膨らもうとする一方、ドリップチャンバーは硬質な材料で構成されているため内管の形状が維持される。その結果、チューブの内周部が内管の端部の外周部から離れようとして両者の密着力が弱くなり、そこからチューブ内の液体が染み出すように漏れる虞れがある。また、特許文献１のようにして接続されたチューブには引っ張り力が作用することがあるが、医療の安全性を確保するためチューブの抜けを防止しなければならない。
【０００４】
本発明は斯かる点に鑑みてなされたものであり、その目的とするところは、２つの管部を接続する場合に、内部を流通する液体の漏れを防止するとともに、一方の管部が他方の管部から離脱しないようにして医療の安全性を確保することにある。
【課題を解決するための手段】
【０００５】
上記目的を達成するために、請求項１の発明では、第１部材が有する第１管部と第２部材が有する第２管部とを接続する管部の接続構造において、上記第１管部は、上記第２管部を構成する材料よりも柔軟な材料で構成され、上記第１管部には、上記第２管部の内周部に密着するように形成された管状の内側被覆部と、上記第２管部の外周部に密着するように形成された管状の外側被覆部とが設けられ、上記内側被覆部と上記外側被覆部との間に上記第２管部が挿入された状態で上記第１管部と上記第２管部とが接続されている構成とする。
【０００６】
この構成によれば、第１管部と第２管部とが接続された状態で両管部を流通する液体の圧力が高まると、内側被覆部が柔軟な材料で構成されているので、第２管部の内側で膨らもうとし、一方、第２管部は第１管部よりも柔軟性がないので変形量は小さい。従って、液体の圧力により内側被覆部が第２管部の内周面に強く密着するようになるので、第１管部と第２管部との接続部分からの液体の漏れが防止される。
【０００７】
また、第２管部を第１管部の両被覆部の間から抜く方向に引っ張り力が作用すると、外側被覆部は、第２管部の外周部を覆っているので、その引っ張り力によって該外側被覆部の中心線方向に引っ張られることになる。引っ張られた外側被覆部は、管状でかつ柔軟性を有していることから、中心線方向に延びようとするとともに縮径する方向に変形しようとする。この外側被覆部の縮径方向への変形力は引っ張り力が強くなるほど大きくなって、外側被覆部が第２管部の外周部に強く密着しようとし、これにより、第１及び第２管部が一体化した状態となる。
【０００８】
請求項２の発明では、請求項１の発明において、第２管部の外周部は、該第２管部の接続側の端部に近づくほど拡径するテーパー形状とされている構成とする。
【０００９】
この構成によれば、第１管部の外側被覆部が第２管部から離脱しにくくなる。
【００１０】
請求項３の発明では、請求項１または２の発明において、第２管部の外周部には、突起が設けられている構成とする。
【００１１】
この構成によれば、外側被覆部が第２管部の突起に食いつくように変形するので、第２管部からより一層離脱しにくくなる。
【００１２】
請求項４の発明では、請求項１から３のいずれか１つの発明において、第１管部には、該第１管部の外周部に開口する孔部が内側被覆部と外側被覆部との間に形成された隙間に連通するように形成されている構成とする。
【００１３】
この構成によれば、第１管部と第２管部とを接続する際、第２管部を第１管部の内側被覆部と外側被覆部との間に挿入していくと、両被覆部の間の隙間に存在する空気が孔部を通って第１管部の外部へ抜けるので、第２管部を両被覆部の間に挿入しやすくなる。
【００１４】
請求項５の発明では、請求項１から４のいずれか１つの発明において、第２管部の外周部には、接続側の端部から反対側の端部へ向けて延びる溝が形成されている構成とする。
【００１５】
この構成によれば、第１管部と第２管部とを接続する際、第２管部を第１管部の内側被覆部と外側被覆部との間に挿入していくと、両被覆部の間の隙間に存在する空気が第２管部の溝を通って抜けるので、第２管部を両被覆部の間に挿入しやすくなる。
【００１６】
請求項６の発明によれば、請求項１から５のいずれか１つの発明において、内側被覆部及び外側被覆部は一体成形されている構成とする。
【００１７】
この構成によれば、部品点数を削減することが可能になる。
【００１８】
請求項７の発明によれば、第１部材が有する第１管部と第２部材が有する第２管部とを接続する管部の接続構造において、上記第１管部は、上記第２管部を構成する材料よりも柔軟な材料で構成され、上記第１管部は、上記第２管部の内周部に密着するように形成され、上記第１管部を上記第２管部に挿入した状態で、該第１及び第２管部の両外周部は、上記第２管部を構成する材料よりも柔軟な材料を管状に成形してなる被覆部によって覆われている構成とする。
【００１９】
この構成によれば、両管部を流通する液体の圧力が高まると、第１管部が柔軟な材料で構成されているので第２管部の内側で膨らもうとし、第２管部の内周部に強く密着する。これにより、第１管部と第２管部との接続部分からの液体の漏れが防止される。
【００２０】
また、第１管部を第２管部から抜く方向に引っ張り力が作用すると、被覆部は、第１及び第２管部の両外周部を覆っているものなので、その引っ張り力によって中心線方向に引っ張られることになる。この引っ張られた被覆部は、管状でかつ柔軟性を有していることから、中心線方向に延びようとするとともに縮径する方向に変形しようとする。この被覆部の縮径方向への変形力は引っ張り力が強くなるほど大きくなり、これにより、被覆部が第１及び第２管部の両外周部に強く密着しようとし、第１及び第２管部が一体化した状態となる。
【００２１】
請求項８の発明では、第１部材が有する第１管部と第２部材が有する第２管部とを接続する管部の接続構造において、上記第１管部は、上記第２管部を構成する材料よりも柔軟な材料で構成され、上記第１管部は、上記第２管部の外周部に密着するように形成され、上記第２管部を上記第１管部に挿入した状態で、該第１及び第２管部の両内周部は、上記第２管部を構成する材料よりも柔軟な材料を管状に成形してなる被覆部によって覆われている構成とする。
【００２２】
この構成によれば、両管部を流通する液体の圧力が高まると、被覆部が柔軟な材料で構成されているので膨らもうとし、被覆部が第１及び第２管部の両内周部に強く密着するようになる。これにより、第１管部と第２管部との接続部分からの液体の漏れが防止される。
【００２３】
また、第２管部を第１管部から抜く方向に引っ張り力が作用すると、第１管部は、第２管部を覆っているものなので、その引っ張り力によって中心線方向に引っ張られることになる。このとき、第１管部は柔軟性を有していることから、中心線方向に延びようとするとともに縮径する方向に変形しようとする。この第１管部の縮径方向への変形力は引っ張り力が強くなるほど大きくなり、これにより、第１管部が第２管部の外周部に強く密着しようとし、第１及び第２管部が一体化した状態となる。
【００２４】
請求項９の発明によれば、第１部材が有する第１管部と第２部材が有する第２管部とを接続する管部の接続構造において、上記第１及び第２管部を接続側の端部が向かい合うように配置した状態で、上記第１及び第２管部の両外周部は、上記第２管部を構成する材料よりも柔軟な材料で構成された管状の外側被覆部によって覆われ、上記第１及び第２管部の両内周部は、上記第２管部を構成する材料よりも柔軟な材料で構成された管状の内側被覆部によって覆われている構成とする。
【００２５】
この構成によれば、両管部を流通する液体の圧力が高まると、内側被覆部が柔軟な材料で構成されているので膨らもうとし、第１及び第２管部の両内周部に密着する。これにより、第１管部と第２管部との接続部分からの液体の漏れが防止される。
【００２６】
また、第１管部を第２管部から中心線方向に離すような引っ張り力が作用すると、外側被覆部は、第１及び第２管部を覆っているものなので、その引っ張り力によって中心線方向に引っ張られることになる。このとき、外側被覆部は、管状でかつ柔軟性を有していることから、中心線方向に延びようとするとともに縮径する方向に変形しようとする。この外側被覆部の縮径方向への変形力は引っ張り力が強くなるほど大きくなり、これにより、外側被覆部が第１及び第２管部の外周部に強く密着しようとし、第１及び第２管部が一体化した状態となる。
【００２７】
また、請求項１０の発明は、請求項１から９のいずれか１つに記載された管部の接続構造により接続された第１部材及び第２部材を備えている輸液セットである。
【発明の効果】
【００２８】
請求項１の発明によれば、第２管部よりも柔軟な第１管部に設けた内側被覆部と外側被覆部との間に第２管部を挿入するようにしたので、第１管部と第２管部との接続部分からの液体の漏れを防止できるとともに、第１管部を第２管部から離脱し難くすることができ、医療の安全性を確保することができる。
【００２９】
請求項２、３の発明によれば、第１管部を第２管部からより一層離脱し難くすることができる。
【００３０】
請求項４、５の発明によれば、第２管部を第１管部の両被覆部の間に挿入する際、両被覆部の間の空気を外部へ逃がすことができるので、第１管部と第２管部との接続作業性を良好にすることができる。
【００３１】
請求項６の発明によれば、内側被覆部及び外側被覆部を一体成形したので、部品点数を削減して第１及び第２管部の接続時の作業性を向上させることができる。
【００３２】
請求項７の発明によれば、第２管部よりも柔軟な第１管部を第２管部に挿入するようにしたので、第１管部と第２管部との接続部分からの液体の漏れを防止できる。そして、第１管部を第２管部に挿入した状態で、第１及び第２管部の両外周部を柔軟な被覆部で覆ったので、第１管部を第２管部から抜く方向に引っ張り力が作用したときに、被覆部を第１及び第２管部に密着するように変形させることができる。この被覆部の変形により、第１管部を第２管部から離脱し難くすることができ、医療の安全性を確保することができる。
【００３３】
請求項８の発明によれば、第２管部を該第２管部よりも柔軟な第１管部に挿入するようにしたので、第２管部を第１管部から抜く方向に引っ張り力が作用したときに、第１管部を第２管部に密着するように変形させることができる。これにより、第１管部を第２管部から離脱し難くすることができ、医療の安全性を確保することができる。そして、第２管部を第１管部に挿入した状態で、第１及び第２管部の両内周部を柔軟な被覆部で覆ったので、第１管部と第２管部との接続部分からの液体の漏れを防止できる。
【００３４】
請求項９の発明によれば、第１及び第２管部の両内周部を柔軟な内側被覆部で覆ったので、第１管部と第２管部との接続部分からの液体の漏れを防止できる。そして、第１及び第２管部の両外周部を柔軟な外側被覆部で覆ったので、第１管部を第２管部から中心線方向に離すような引っ張り力が作用したときに、外側被覆部を第１及び第２管部の外周部に密着するように変形させることができる。これにより、第１管部を第２管部から離脱し難くすることができ、医療の安全性を確保することができる。
【００３５】
請求項１０の発明によれば、輸液セットが備えている第１部材及び第２部材の接続部分からの液体の漏れを防止できるとともに、両者を離脱し難くすることができ、医療の安全性を確保することができる。
【発明を実施するための最良の形態】
【００３６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３７】
《発明の実施形態１》
図１は、本発明の実施形態１に係る管部の接続構造を用いてコネクター１０と、ジョイント２０とを接続した状態を示すものである。ジョイント２０は、全体として筒状をなすものであり、本発明の第１部材である。また、コネクター１０が本発明の第２部材である。上記コネクター１０は、硬質な樹脂材としてポリエチレンや、ポリプロピレンなどのポリオレフィン樹脂を円管状に成形してなるものであり、内部を流通する液体の圧力や、その他の外力によって容易に変化しないようになっている。このポリオレフィン樹脂は、薬剤等に強く、しかも、環境ホルモン等の溶出が無く医療的に見て安全である反面、接着剤による接着性が悪いという性質を持っている。
【００３８】
図２にも示すように、上記コネクター１０の先端側は小径部１１とされ、基端側は先端側に比べて大径の大径部１２とされている。この大径部１２が本発明の第２管部である。コネクター１０の外周部の小径部１１と大径部１２との間には、段差部１３が設けられており、図３に示すように、コネクター１０の内径は、段差部１３に対応して小径部１１側の方が大径部１２側よりも小さくなっている。小径部１１の外周部は、先端側へ行くほど小径となるように形成された、いわゆるルアーテーパーで構成されている。この小径部１１の外周部に、他の医療器具が接続されるようになっている。
【００３９】
図４に示すように、上記コネクター１０の大径部１２の外周部には、断面Ｖ字形状の３本の溝１４が大径部１２の中心線方向に直線状に延びるように形成されている。これら溝１４は、大径部１２の周方向に等しい間隔をあけて設けられ、大径部１２の中心線方向両端に亘って延びている。この大径部１２がコネクター１０を構成している。尚、上記溝１４の断面形状は、Ｖ字形状に限られるものではなく、Ｕ字形状であってもよい。また、溝１４の数や形成部位は、任意に設定することが可能である。
【００４０】
上記ジョイント２０は、コネクター１０を構成する材料よりも柔軟な材料として、例えばポリ塩化ビニル、ポリブタジエン、スチレンエチレンブチレンスチレン等で構成されており、容易に屈曲変形するようになっている。ジョイント２０の一側（図１の左側）が本発明の第１管部であり、この第１管部は、図３に示すように、コネクター１０の大径部１２に接続されるようになっている。ジョイント２０の第１管部は、大径部１２の内周部に全周に亘って密着するように形成された管状の内側被覆部２０ｂと、大径部１２の外周部に全周に亘って密着するように形成された管状の外側被覆部２０ｃとを備えている。これら内側被覆部２０ｂと外側被覆部２０ｃとの間には、図２に示すように、大径部１２の形状に対応した隙間Ｓが形成されている。上記内側被覆部２０ｂの内径は、コネクター１０の小径部１１の内径と略同じか小径部１１の内径よりも若干大きく設定されている。尚、上記ジョイント２０を構成する材料としては、上記したものに限られず、他の柔軟な樹脂を用いることも可能である。
【００４１】
ジョイント２０の他側は、円環部２０ｄで構成されている。この円環部２０は、上記内側被覆部２０ｂ及び外側被覆部２０ｃと一体成形されている。円環部２０は、柔軟な材料からなるチューブＰに挿入されている。円環部２０の外周部とチューブＰの内周部とは接着剤により接着されており、ジョイント２０とチューブＰとが接続された状態となっている。
【００４２】
上記コネクター１０をジョイント２０に接続する際には、内側被覆部２０ｂと外側被覆部２０ｃとの間の隙間Ｓに、コネクター１０の大径部１２を挿入していく。大径部１２を隙間Ｓに挿入するときには、隙間Ｓ内の空気が、大径部１２の溝１４を通って外部に排出されるので、ジョイント２０の挿入作業は最後までスムーズに行うことが可能である。上記内側被覆部２０ｂ及び外側被覆部２０ｃと、コネクター１０の大径部１２との間には、接着剤が塗布されていない。
【００４３】
上記のようにして接続されたコネクター１０とジョイント２０を使用する際には、例えば、コネクター１０及びチューブＰを他の医療器具に接続して、内部に薬液等の液体を流す。この医療器具がポンプタイプのシリンジである場合には、コネクター１０及びジョイント２０内を流通する液体の圧力が高いが、この場合に、ジョイント２０の内側被覆部２０ｂが柔軟な材料で構成されているため、コネクター１０の大径部１２の内側で膨らもうとし、一方、コネクター１０はジョイント２０よりも柔軟性がないので変形量は小さい。従って、液体の圧力によりジョイント２０の内側被覆部２０ｂの外周部がコネクター１０の内周部に強く密着するようになるので、コネクター１０とジョイント２０との接続部分からの液体の漏れが防止される。
【００４４】
また、コネクター１０をジョイント２０から抜く方向に引っ張り力が作用すると、外側被覆部２０ｃは、コネクター１０の外周部に密着しているので、該外周部との摩擦力により、中心線方向に引っ張られることになる。引っ張られた外側被覆部２０ｃは、管状でかつ柔軟性を有していることから、中心線方向に延びようとするとともに縮径する方向に変形しようとする。この外側被覆部２０ｃの縮径方向への変形力は引っ張り力が強くなるほど大きくなる。これにより、外側被覆部２０ｃが大径部１２の外周部に強く密着するようになる。その結果、ジョイント２０がコネクター１０と一体化した状態になり、コネクター１０の抜けが抑止される。
【００４５】
以上説明したように、この実施形態１に係る管部の接続構造によれば、柔軟なジョイント２０の内側被覆部２０ｂを硬質樹脂製のコネクター１０の大径部１２に挿入するようにしたので、内部の液体の圧力が高まったときにおいても、液体の漏れを防止できる。そして、外側被覆部２０ｃによりコネクタ１０の大径部１２の外周部を被覆したので、コネクター１０をチューブ２０から抜く方向に引っ張り力が作用したときに、外側被覆部２０ｃを大径部１２の外周部に密着するように変形させることができる。これにより、コネクター１０をジョイント２０から離脱し難くすることができ、医療の安全性を確保することができる。
【００４６】
また、図５に示す実施形態１の変形例１のように、コネクター１０の大径部１２の外周部を、該コネクター１０の接続側の端部に近づくほど拡径するテーパー面１２ａで構成し、このテーパー面１２ａに複数の突起１５を形成してもよい。これら突起１５は、コネクター１０の中心線方向に離れているとともに、周方向にも離れて配置されている。各突起１５は、小径部１１側へ行くほど突出高さが高くなるように形成されている。この変形例１のように、コネクター１０にテーパー面１２ａを形成することで、被覆部３０がテーパー面１２ａによって拡げられてコネクター１０から離脱し難くなる。加えて、突起１５がジョイント２０被覆部３０に食い込むようになり、このことによっても、被覆部３０がコネクター１０から離脱し難くなる。上記コネクター１０の大径部１２の外周部には、テーパー面１２ａを形成することなく、突起１５のみを形成してもよいし、突起１５を形成することなく、テーパー面１２ａのみを形成するようにしてもよい。
【００４７】
また、図６に示す実施形態１の変形例２のように、外側被覆部２０ｃに隙間Ｓと連通する貫通孔２１を形成するようにしてもよい。これにより、ジョイント２０を上記隙間Ｓに挿入するときに該隙間Ｓ内の空気を貫通孔２１から抜くことが可能になる。上記貫通孔２１を設ける場合には、コネクター１０の溝１４を省略してもよい。また、貫通孔２１の数や形状は任意に設定することが可能である。
【００４８】
《発明の実施形態２》
図７〜図９は、本発明の実施形態２に係る管部の接続構造を用いて第２部材としてのコネクター１０と、第１部材としてのチューブ２５とを接続した状態を示すものである。この実施形態２に係る管部の接続構造は、チューブ２５をコネクタ１０に挿入するようにした点で、実施形態１のものと異なっているだけなので、以下、実施形態１と同じ部分には同じ符号を付して説明を省略し、異なる部分について詳しく説明する。
【００４９】
上記チューブ２５は、コネクター１０を構成する材料よりも柔軟な材料として、上記実施形態１のジョイント２０と同じ材料で構成されており、容易に屈曲変形するようになっている。チューブ２５の一端側の所定領域に形成された接続部２５ａは、本発明の第１管部を構成するものであり、大径部１２の内周部に全周に亘って密着するように形成されている。チューブ２５の内径は、コネクター１０の小径部１１の内径と略同じか小径部１１の内径よりも若干大きく設定されている。尚、上記チューブ２５を構成する材料としては、上記したものに限られず、他の柔軟な樹脂を用いることも可能である。
【００５０】
上記コネクター１０及びチューブ２５の接続部分には、管状の被覆部３０が設けられている。この被覆部３０は、円管状をなし、チューブ２５の材料と同じ材料で構成されている。被覆部３０のコネクター１０側の内周部は、大径部１２の外周部に密着するように形成されている。被覆部３０のチューブ２５側の内周部には、リング状部４０が設けられている。このリング状部４０は、被覆部３０を構成する材料と同じ材料で構成されており、該被覆部３０の一部を構成するものである。リング状部４０の内周部は、チューブ２５の外周部に密着するように形成されている。つまり、被覆部３０により、コネクター１０の大径部１２の外周部と、チューブ２５の接続部２５ａの外周部とが覆われるようになっている。
【００５１】
上記リング状部４０の肉厚は、コネクター１０の大径部１２の肉厚と略同じに設定されている。コネクター１０とチューブ２５とを接続していない状態では、図８に示すように、チューブ２５の接続部２５ａと、被覆部３０との間に、コネクター１０の大径部１２の肉厚に対応した隙間Ｔが形成される。
【００５２】
上記チューブ２５とコネクター１０を接続する際には、まず、図８に示すように、チューブ２５にリング状部４０及び被覆部３０を組み付けておく。この組み付け時には、チューブ２５にリング状部４０を接着してもよいし、リング状部４０に被覆部３０を接着してもよい。そして、チューブ２５と被覆部３０との間の隙間Ｔにコネクター１０の大径部１２を挿入していく。大径部１２の端部がリング状部４０に当接すると、大径部１２が隙間Ｔに完全に挿入された状態となる。大径部１２を隙間Ｔに挿入するときには、隙間Ｔ内の空気が、大径部１２の溝１４を通って外部に排出されるので、チューブ２５の挿入作業は最後までスムーズに行うことが可能である。
【００５３】
上記のようにして接続されたチューブ２５とコネクター１０を使用する際には、例えば、チューブ２５及びコネクター１０を他の医療器具に接続して、内部に薬液等の液体を流す。このチューブ２５及びコネクター１０内を流通する液体の圧力が高まると、チューブ２５が柔軟な材料で構成されているため、コネクター１０の大径部１２の内側で膨らもうとし、一方、コネクター１０はチューブ２５よりも柔軟性がないので変形量は小さい。従って、液体の圧力によりチューブ２５の接続部２５ａの外周部がコネクター１０の内周部に強く密着するようになるので、チューブ２５とコネクター１０との接続部分からの液体の漏れが防止される。
【００５４】
また、チューブ２５をコネクター１０から抜く方向に引っ張り力が作用すると、被覆部３０は、両部材２０、１０の外周部に密着しているので、該両外周部との間の摩擦力により、中心線方向に引っ張られることになる。引っ張られた被覆部３０は、管状でかつ柔軟性を有していることから、中心線方向に延びようとするとともに縮径する方向に変形しようとする。この被覆部３０の縮径方向への変形力は引っ張り力が強くなるほど大きくなる。これにより、被覆部３０がチューブ２５及びコネクター１０の両外周部に強く密着するようになる。その結果、チューブ２５が被覆部３０によりコネクター１０と一体化した状態になり、チューブ２５の抜けが抑止される。
【００５５】
以上説明したように、この実施形態２に係る管部の接続構造によれば、柔軟なチューブ２５の接続部２５ａを硬質樹脂製のコネクター１０の大径部１２に挿入するようにしたので、内部の液体の圧力が高まったときにおいても、液体の漏れを防止できる。そして、チューブ２５の接続部２５ａを大径部１２に挿入した状態で、両外周部を柔軟な被覆部３０で被覆したので、チューブ２５をコネクター１０から抜く方向に引っ張り力が作用したときに、被覆部３０を両外周部に密着するように変形させることができる。これにより、チューブ２５をコネクター１０から離脱し難くすることができ、医療の安全性を確保することができる。
【００５６】
また、図１０に示す実施形態２の変形例１のように、被覆部３０に、該被覆部３０とチューブ２５との間の隙間Ｔと連通する貫通孔３１を形成するようにしてもよいし、リング状部４０に上記隙間Ｔと連通する貫通孔４１を形成するようにしてもよい。これにより、チューブ２５を上記隙間Ｔに挿入するときに該隙間Ｔ内の空気を貫通孔３１、４１から抜くことが可能になる。上記貫通孔３１、４１を設ける場合には、コネクター１０の溝１４を省略してもよい。また、被覆部３０の貫通孔３１とリング状部４０の貫通孔４１との一方を省略してもよい。上記貫通孔３１、４１の数や形状は任意に設定することが可能である。
【００５７】
また、被覆部３０及びリング状部４０は、チューブ２５と一体成形してもよい。これにより、部品点数を削減することができ、チューブ２５とコネクター１０との接続時の作業性を向上させることができる。
【００５８】
また、図１１に示す変形例２のように、リング状部４０を省略してもよい。
【００５９】
《発明の実施形態３》
図１２は、本発明の実施形態３に係る管部の接続構造を用いてコネクター１０とチューブ２５とを接続した状態を示すものである。この実施形態３に係る管部の接続構造は、コネクター１０をチューブ２５に挿入し、被覆部３０で内周部を被覆するようにした点で、実施形態１のものと異なっているだけなので、以下、実施形態１と同じ部分には同じ符号を付して説明を省略し、異なる部分について詳しく説明する。
【００６０】
すなわち、チューブ２５の接続部２５ａの内周部は、コネクター１０の大径部１２の外周部に密着するように形成されている。また、上記被覆部３０は、コネクター１０を構成する材料よりも柔軟な材料を円管状に成形してなるものであり、具体的には、実施形態１のジョイント２０と同様な材料で構成されている。
【００６１】
上記被覆部３０のコネクター１０側の外周部は、大径部１２の内周部に密着するように形成されている。被覆部３０のチューブ２５側の外周部には、該被覆部３０の一部であるリング状部４０が設けられている。このリング状部４０は、被覆部３０を構成する材料と同じ材料で構成されている。リング状部４０の外周部は、チューブ２５の内周部に密着するように形成されている。チューブ２５とコネクター１０とを接続していない状態では、チューブ２５の接続部２５ａと被覆部３０との間に、コネクター１０の大径部１２の肉厚に対応した隙間（図示せず）が形成されることになる。
【００６２】
上記チューブ２５とコネクター１０とを接続した状態で使用する際に、チューブ２５及びコネクター１０内を流通する液体の圧力が高まると、被覆部３０が柔軟な材料で構成されているため膨らもうとし、被覆部３０の外周部がコネクター１０の大径部１２の内周部及びチューブ２５の接続部２５ａの内周部に強く密着するようになる。これにより、チューブ２５とコネクター１０との接続部分からの液体の漏れが防止される。
【００６３】
また、チューブ２５からコネクター１０を抜く方向に引っ張り力が作用すると、チューブ２５の接続部２５ａは、コネクター１０の大径部１２の外周部に密着しているので、チューブ２５は大径部１２の外周部との間の摩擦力により、中心線方向に引っ張られることになる。引っ張られたチューブ２５は、柔軟性を有していることから、中心線方向に延びようとするとともに縮径する方向に変形しようとする。このチューブ２５の縮径方向への変形力は引っ張り力が強くなるほど大きくなる。これにより、チューブ２５の接続部２５ａがコネクター１０の大径部１２の外周部に強く密着するようになる。その結果、チューブ２５がコネクター１０と一体化した状態になり、チューブ２５の抜けが抑止される。
【００６４】
以上説明したように、この実施形態３に係る管部の接続構造によれば、液体の漏れを防止できるとともに、チューブ２５をコネクター１０から離脱し難くすることができ、医療の安全性を確保することができる。
【００６５】
《発明の実施形態４》
図１３は、本発明の実施形態４に係る管部の接続構造を用いてコネクター１０とチューブ２５とを接続した状態を示すものである。この実施形態４に係る管部の接続構造は、コネクター１０の接続側の端部とチューブ２５の接続側の端部とを向かい合うように配置した状態で、両外周部を外側被覆部３５によって被覆し、両内周部を内側被覆部３６によって被覆するようにした点で、実施形態１のものと異なっているだけなので、以下、実施形態１と同じ部分には同じ符号を付して説明を省略し、異なる部分について詳しく説明する。
【００６６】
すなわち、コネクター１０の大径部１２の内径及び外径と、チューブ２５の内径及び外径とは略同じに設定されている。外側被覆部３５は、コネクター１０を構成する材料よりも柔軟な材料を円筒状に成形してなるものであり、内周部がコネクター１０及びチューブ２５の外周部に密着している。内側被覆部３６は、コネクター１０を構成する材料よりも柔軟な材料を円筒状に成形してなるものであり、外周部がコネクター１０及びチューブ２５の内周部に密着している。これら外側被覆部３５及び内側被覆部３６を構成する材料は、具体的には、実施形態１のジョイント２０と同様な材料で構成されている。
【００６７】
上記チューブ２５とコネクター１０とを接続した状態で使用する際に、チューブ２５及びコネクター１０内を流通する液体の圧力が高まると、内側被覆部３６が柔軟な材料で構成されているため膨らもうとし、その外周部がコネクター１０及びチューブ２５の両内周部に強く密着するようになる。これにより、チューブ２５とコネクター１０との接続部分からの液体の漏れが防止される。
【００６８】
また、チューブ２５をコネクター１０から中心線方向に離すような引っ張り力が作用すると、外側被覆部３５は、コネクター１０及びチューブ２５の両外周部に密着しているので、外側被覆部３５は該両外周部との間の摩擦力により、中心線方向に引っ張られることになる。引っ張られた外側被覆部３５は、柔軟性を有していることから、中心線方向に延びようとするとともに縮径する方向に変形しようとする。この外側被覆部３５の縮径方向への変形力は引っ張り力が強くなるほど大きくなる。これにより、外側被覆部３５が縮径方向の変形力によりコネクター１０及びチューブ２５の外周部に強く密着するようになる。その結果、チューブ２５が外側被覆部３５によりコネクター１０と一体化した状態になり、チューブ２５の抜けが抑止される。
【００６９】
以上説明したように、この実施形態４に係る管部の接続構造によれば、液体の漏れを防止できるとともに、チューブ２５をコネクター１０から離脱し難くすることができ、医療の安全性を確保することができる。
【００７０】
上記外側被覆部３５及び内側被覆部３６は、チューブ２５に接着して一体化してもよいし、チューブ２５と一体成形してもよい。
【００７１】
また、上記実施形態２〜４においても、実施形態１の変形例１のようなテーパー面や突起を設けてもよいし、変形例２のような空気抜き用の貫通孔を設けてもよい。
【００７２】
また、本発明は、コネクター１０とチューブ２５とを接続する場合以外にも、例えば、ドリップチャンバーとチューブとを接続する場合や、２本のチューブを接続する場合に適用することもできる。また、本発明は、輸液ライン等に設置されるフィルタの管部、三方活栓の管部、混注を行うための混注用器具の管部等と、チューブとを接続する場合にも適用することができる。
【００７３】
図１４は、本発明に係る輸液セット１１０を示すものである。この輸液セット１１０は、上記実施形態１〜４のいずれか１つに係る管部の接続構造によって接続された第１部材としてのチューブ１１６と、第２管部としてのオスコネクタ１１５とを備えているものである。輸液セット１１０には、供給側から患者側へ向けて順に、薬液を収容した瓶や袋等の容器に接続される瓶針１１１と、ドリップチャンバー１１２と、第１フィルター１１３と、混注用器具１０９と、第２フィルター１１４と、上記オスコネクタ１１５とが設けられている。上記瓶針１１１、ドリップチャンバー１１２、第１フィルター１１３、混注用器具１０９、第２フィルター１１４、オスコネクタ１１５はチューブ１１６により接続されている。尚、本発明の管部の接続構造は、例えば、チューブ１１６とフィルター１１３、１１４との接続部分や、チューブ１１６と混注用器具１０９との接続部分、チューブ１１６とドリップチャンバー１１２との接続部分にも適用することができる。
【００７４】
上記輸液セット１１０の第１フィルター１１３及び第２フィルター１１４は、薬液の種類等によって一方のみを設けてもよいし、両方を省略してもよい。オスコネクタ１１５の代わりに注射針（図示せず）を設けるようにしてもよい。また、混注用器具１０９も省略可能である。また、この輸液セット１１０には、ドリップチャンバー１１２と第１フィルター１１３との間にクランプ１１７が設けられており、このクランプ１１７によってチューブ１１６の閉塞が可能となっている。
【００７５】
また、上記輸液セット１１０がポンプ用輸液セットである場合には、内部を流れる液体の圧力が高くなるので、本発明に係る管部の接続構造による作用効果がより一層顕著なものとなる。
【００７６】
また、本発明に係る管部の接続構造は、図示しないが、例えば、薬液容器と注射針との間に設けられる延長チューブを構成する管部材とコネクタとの接続部分にも適用することができる。
【産業上の利用可能性】
【００７７】
以上説明したように、本発明に係る管部の接続構造及び輸液セットは、例えば、医療現場において患者に薬剤等を投与する場合に用いることができる。
【図面の簡単な説明】
【００７８】
【図１】本発明の実施形態１に係る接続構造によって接続されたコネクター及びジョイントにチューブを接続した状態の側面図である。
【図２】ジョイントにコネクタ及びチューブを接続する前の状態を示す側面図である。
【図３】接続されたコネクター、ジョイント及びチューブの断面図である。
【図４】コネクターをジョイント側から見た図である。
【図５】実施形態１の変形例１に係る図３相当図である。
【図６】実施形態１の変形例２に係る図３相当図である。
【図７】実施形態２に係る図１相当図である。
【図８】実施形態２に係る図２相当図である。
【図９】実施形態２に係る図３相当図である。
【図１０】実施形態２の変形例１に係る図３相当図である。
【図１１】実施形態２の変形例２に係る図３相当図である。
【図１２】実施形態３に係る図３相当図である。
【図１３】実施形態４に係る図３相当図である。
【図１４】本発明に係る輸液セットを示す図である。
【符号の説明】
【００７９】
１０          コネクター（第２部材）
１２          大径部（第２管部）
１２ａ        テーパー面
１４          溝
１５          突起
２０          ジョイント（第１部材）
２０ｂ        内側被覆部
２０ｃ        外側被覆部
２１          貫通孔
２５          チューブ（第１部材）
２５ａ        接続部（第１管部）
３０          被覆部
３１          貫通孔
３５          外側被覆部
３６          内側被覆部
４１          貫通孔
１１０        輸液セット
Ｓ、Ｔ        隙間
【図１】
2008017987.tif 000003
【図２】
2008017987.tif 000004
【図３】
2008017987.tif 000005
【図４】
2008017987.tif 000006
【図５】
2008017987.tif 000007
【図６】
2008017987.tif 000008
【図７】
2008017987.tif 000009
【図８】
2008017987.tif 000010
【図９】
2008017987.tif 000011
【図１０】
2008017987.tif 000012
【図１１】
2008017987.tif 000013
【図１２】
2008017987.tif 000014
【図１３】
2008017987.tif 000015
【図１４】
2008017987.tif 000016